(57)【要約】      （修正有）【課題】審美性に優れるとともに耐久性に優れる時計用文字板及び時計用文字板を備えた時計を提供する。【解決手段】時計用文字板２は、貴石４１および貴石４１に設けられた金属膜４２を備える時計用略字４と、文字板本体３と、を有し、金属膜４２と文字板本体３とがチオール系硬化剤を含む接着剤により固定される。貴石４１が水晶、ガラスおよびサファイアであり、金属膜は、Ｎｉ、Ａｕのうちのいずれかを含んでいる。【選択図】図１
2019174305.tif 000002
【特許請求の範囲】
【請求項１】
貴石および前記貴石に設けられた金属膜を備える時計用略字と、
文字板本体と、を有し、
前記金属膜と文字板本体とがチオール系硬化剤を含む接着剤により固定されることを特徴とする時計用文字板。
【請求項２】
前記貴石が水晶、ガラスおよびサファイアのいずれかである請求項１に記載の時計用文字板。
【請求項３】
前記金属膜は、Ｎｉ、Ａｕのうちのいずれかを含んでいる請求項１または２に記載の時計用文字板。
【請求項４】
前記金属膜は、乾式めっき法により設けられたものである請求項１ないし３のいずれか１項に記載の時計用文字板。
【請求項５】
請求項１ないし４のいずれか１項に記載の時計用文字板を備えることを特徴とする時計。
【発明の詳細な説明】
【技術分野】
【０００１】
本発明は、時計用文字板および時計に関する。
【背景技術】
【０００２】
時計用文字板には、装飾性を高める等の目的で、植字が設けられることがある。
このような植字には、通常、脚部が設けられており、文字板本体に設けられた孔部に挿入して用いられる（例えば、特許文献１参照）。そして、脚部が文字板本体の孔部に挿入された植字は、カシメや植字固定部材を用いて文字板本体に固定される。
【先行技術文献】
【特許文献】
【０００３】
【特許文献１】特開２００９−６３４９０号公報
【発明の概要】
【発明が解決しようとする課題】
【０００４】
時計用文字板の装飾性を高める等の目的で、ダイヤモンド等の貴石を用いることがある。
しかしながら、貴石を用いる場合、脚部の形成が困難である。また、貴石に脚部を設けるのではなく、接着剤により直接文字板本体に固定すると、貴石の固定強度が不十分で、貴石を安定的に固定できないという問題がある。
【課題を解決するための手段】
【０００５】
本発明は、上述の課題を解決するためになされたものであり、以下の適用例として実現することができる。
【０００６】
本発明の適用例に係る時計用略字は、貴石および前記貴石に設けられた金属膜を備え、チオール系硬化剤を含む接着剤により文字板本体に固定される。
【図面の簡単な説明】
【０００７】
【図１】図１は、本発明の時計用文字板の好適な実施形態を示す模式的な縦断面図である。
【図２】図２は、本発明の時計を腕時計に適用した場合の実施形態を示す斜視図である。
【図３】図３は、図２中の矢印Ａ方向から見た図である。
【発明を実施するための形態】
【０００８】
以下、本発明の好適な実施形態について、添付図面を参照しつつ説明する。
図１は、本発明の時計用文字板の好適な実施形態を示す模式的な縦断面図である。図２は、本発明の時計を腕時計に適用した場合の実施形態を示す斜視図である。図３は、図２中の矢印Ａ方向から見た図である。なお、以下では、説明の都合上、腕時計の時刻が表示される側（カバーガラス側）を「表」、腕に装着される側（裏蓋側）を「裏」と言う。
【０００９】
以下、時計１の全体構成について説明する。
図２に示す時計１は、胴（ケース）１１と、裏蓋１３と、カバーガラス（風防）１５と、バンド１６とを備えている。また、時計１の内部空間、すなわち、胴１１と裏蓋１３とカバーガラス１５とで囲まれた空間には、ムーブメント１０や時計用文字板２等が収納されている。
【００１０】
ムーブメント１０には、時針１０１、分針１０２、秒針１０３が回転可能に支持されており、ムーブメント１０とともに時計１内に収納されている。また、胴１１の外周部には、巻真１０４を介してムーブメント１０に連結されたりゅうず１２が時計１の外側に引出可能に挿入されている。このりゅうず１２を１段位置に引き出すと、時計１が時刻修正モードに設定され、別途設けられたスイッチ（図示せず）を押下操作することにより時針１０１および分針１０２の位置を調整することができる。なお、りゅうず１２を回転可能に挿入し、このりゅうず１２を、例えば１段位置に引き出し、かつ、回転操作することにより、その回転力がムーブメント１０に伝達されて、時針１０１および分針１０２の位置を調整することができるようにしてもよい。
【００１１】
図１に示すように、時計用文字板２は、文字板本体３と、時計用略字（インデックス）４とを備えている。時計用略字４は、貴石４１と金属膜４２とを有している。そして、時計用略字４は、チオール系硬化剤を含む接着剤が硬化してなる接着層５で、文字板本体３に固定されている。
【００１２】
言い換えると、時計用略字４は、貴石４１および貴石４１に設けられた金属膜４２を備え、チオール系硬化剤を含む接着剤により文字板本体３に固定されるものであり、時計用文字板２は、文字板本体３と、貴石４１および貴石４１に設けられた金属膜４２を備える時計用略字４とを備え、時計用略字４が、チオール系硬化剤を含む接着剤により文字板本体３に固定されているものである。
【００１３】
このような構成により、貴石４１が有する優れた外観を生かしつつ、貴石４１の文字板本体３に対する結合力（金属膜４２を介しての結合力。以下同様。）を高めることができる。また、貴石４１に設けられた金属膜４２も優れた視覚的効果を発揮する。その結果、審美性に優れるとともに文字板本体３に安定的に固定することができる時計用略字４を提供することができ、また、審美性に優れるとともに耐久性に優れる時計用文字板２を提供することができる。
【００１４】
図３に示すように、本実施形態に係る時計用文字板２は、文字板本体３と、文字板本体３に設置された複数（図示では１２個）の時計用略字４とを備えている。
【００１５】
［文字板本体］
文字板本体３は、板状をなしている。この文字板本体３は、時計用文字板２の大部分を占めるものであり、時計用略字４を支持する機能を有している。なお、文字板本体３の平面形状としては、本実施形態では円形であるが、これに限定されず、例えば、楕円形、四角形等のような多角形、これらを組み合わせた形状等であってもよい。
【００１６】
文字板本体３には、針（時針１０１、分針１０２、秒針１０３）の回転軸が挿通される軸挿通孔３１が設けられている。
【００１７】
文字板本体３は、いかなる材料で構成されていてもよいが、文字板本体３の構成材料としては、各種金属材料、各種樹脂材料等が挙げられる。
【００１８】
文字板本体３を構成する樹脂材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００１９】
文字板本体３は、樹脂以外の成分（その他の成分）を含むものであってもよい。
このような成分としては、例えば、可塑剤、酸化防止剤、着色剤（各種発色剤、蛍光物質、りん光物質（蓄光材料）等を含む）、光沢剤、フィラー等が挙げられる。
【００２０】
ただし、文字板本体３中における樹脂の含有率は、６０質量％以上であるのが好ましく、７０質量％以上であるのがより好ましく、８０質量％以上であるのがさらに好ましい。
【００２１】
図示の構成では、文字板本体の表面３５（図中の上側の面）は、平坦面であるが、例えば、凹凸を有していてもよい。
【００２２】
また、文字板本体の表面３５には、表面処理が施されていてもよい。例えば、文字板本体３と時計用略字４との密着性を向上させる粗面化処理、プラズマ処理、プライマー処理等が施されていてもよい。
【００２３】
文字板本体３の厚さは、特に限定されないが、２００μｍ以上７００μｍ以下であるのが好ましく、３００μｍ以上６００μｍ以下であるのがより好ましい。
【００２４】
これにより、時計用文字板２が適用される時計１が、厚型化するのを効果的に防止しつつ、時計用文字板２の機械的強度、形状の安定性等を特に優れたものとすることができる。
【００２５】
［時計用略字］
時計用略字４は、文字板本体３上に固定されるものである。
このような時計用略字４を備えることにより、例えば、時刻の視認性を優れたものとすることができる。また、時計用略字４を有することにより、立体感が向上し、時計用文字板２全体としての審美性、時計用文字板２を備える時計の審美性をさらに優れたものとすることができる。
【００２６】
図示の構成では、文字板本体３上に、少なくとも１個（図示では１２個）の時計用略字４が固定されている。これらの時計用略字４は、文字板本体３の中心から放射状に延びた棒状（バーインデックス）をなしている。そして、これらの時計用略字４は、文字板本体３の中心回りに等角度間隔に配置されている。なお、時計用略字４の配置数、配置位置、平面視での形状等の条件は、図示の実施形態のものに限定されず、例えば、時計１（時計用文字板２）のデザインに応じて、適宜変更することができる。また、時計用略字４は、略字に限定されず、例えば、算用数字（アラビア数字）やローマ数字等のような数字あってもよい。また、略字と数字との組み合わせであってもよい。
【００２７】
また、図示の構成では、時計用略字４は、時字であるが、時計用文字板２は、時字以外の略字（例えば、ロゴマーク等）を備えていてもよい。
【００２８】
各時計用略字４は、文字板本体３上での配置箇所が異なること以外は、同じ構成であるため、以下、代表的に１つの時計用略字４について説明する。
【００２９】
時計用略字４は、小片状をなす貴石４１と、貴石４１に設けられた金属膜４２とを備えている。
【００３０】
これにより、貴石４１が本来有している光輝感を発揮させることができるとともに、金属膜４２で反射された光により、審美性がさらに向上する。また、時計用略字４が金属膜４２を有していることにより、後述するような接着層５（チオール系硬化剤を含む接着剤が硬化してなる接着層５）を介しての文字板本体３と時計用略字４との接合の安定性を優れたものとすることができ、時計用文字板２や時計用文字板２を備える時計１の耐久性を優れたものとすることができる。
【００３１】
（貴石）
貴石４１としては、例えば、「四大宝石」と言われているダイヤモンド、ルビー、サファイア、エメラルドの他に、水晶、アメジスト等のような半貴石であってもよい。また、貴石４１は、天然石でも人造石でもよく、さらには、ガラスであってもよい。
【００３２】
中でも、貴石４１は、水晶、ガラスおよびサファイアのいずれかであるのが好ましく、水晶であるのがより好ましい。
【００３３】
これにより、貴石４１と金属膜４２との密着性をより優れたものとすることができる。また、水晶は貴石４１そのものとしての審美性が優れているとともに、当該貴石４１を介して金属膜４２を視認した際の審美性が各種貴石の中でも特に優れている。このようなことから、時計用略字４、時計用文字板２としての審美性を特に優れたものとすることができる。また、水晶は、金属膜を設けずに文字板本体に直接接合しようとした場合や、チオール系硬化剤を含まない接着剤を用いて接合しようとした場合に、文字板本体との接合の信頼性が特に低くなってしまうものである。これに対し、本発明では、貴石４１が水晶である場合でも文字板本体３に安定的に固定することができる。したがって、貴石４１が水晶である場合に、本発明による効果がより顕著に発揮される。
【００３４】
貴石４１は、小片状（板片状）をなすものである。図示の構成では、貴石４１は、直方体をなしているが、他の多面体であってもよい。また、例えば、面取り加工等により形成された曲面部（湾曲部）を有するものであってもよい。
【００３５】
貴石４１の全長Ｌ４１（図３参照）は、時計１の大きさ等にもよるが、例えば、１ｍｍ以上７ｍｍ以下であるのが好ましく、２ｍｍ以上５ｍｍ以下であるのがより好ましい。
貴石４１の幅Ｗは、時計１の大きさ等にもよるが、例えば、０．５ｍｍ以上５ｍｍ以下であるのが好ましく、１ｍｍ以上２ｍｍ以下であるのがより好ましい。また、貴石４１の幅Ｗは、本実施形態では貴石４１の長手方向（全長Ｌ４１）に沿って一定であるが、これに限定されず、変化していてもよい。
【００３６】
貴石４１の厚さＴは、時計１の大きさ等にもよるが、例えば、０．５ｍｍ以上５ｍｍ以下であるのが好ましく、０．５ｍｍ以上２ｍｍ以下であるのがより好ましい。また、貴石４１の厚さＴは、本実施形態では貴石４１の長手方向（全長Ｌ４１）に沿って一定であるが、これに限定されず、変化していてもよい。
【００３７】
貴石４１の表側の面４１１は、露出しており、例えば、研磨加工が施されて平坦面（特に、鏡面）となっている。なお、図示されていないが、表側の面４１１上には、例えば、保護膜、反射防止膜、調色膜のような任意の層が１層以上設けられていてもよい。このような表側の面４１１は、平坦面に限らず、例えば、湾曲綿、部分的に屈曲した屈曲綿（カット面）等であってもよい。
【００３８】
（金属膜）
金属膜４２は、貴石４１に設けられている。特に、金属膜４２は、少なくともその一部が、貴石４１の裏側の面４１２（時計１の正常な使用形態での観察者の視点とは反対側）に設けられており、文字板本体３において接着層５と接触している。
【００３９】
これにより、貴石４１が本来有している光輝感を発揮させることができるとともに、金属膜４２で反射された光により、時計用略字４の審美性が向上する。また、後述するような接着層５を介しての文字板本体３と時計用略字４との接合の安定性を優れたものとすることができ、時計用文字板２や時計用文字板２を備える時計１の耐久性を優れたものとすることができる。
【００４０】
金属膜４２は、金属を含む材料で構成されていればよいが、Ｎｉ、Ａｕのうちのいずれかを含んでいるのが好ましく、Ａｕを含んでいるのがより好ましい。
これにより、時計用略字４、時計用文字板２の審美性をより優れたものとすることができる。また、文字板本体３と時計用略字４との接合の安定性をより優れたものとすることができ、時計用文字板２や時計用文字板２を備える時計１の耐久性をより優れたものとすることができる。このような効果は、貴石４１が水晶である場合に、より顕著に発揮される。
【００４１】
特に、金属膜４２がＡｕを含む材料で構成されている場合、金属膜４２中におけるＡｕの含有率は、８０質量％以上であるのが好ましく、９０質量％以上であるのがより好ましく、９５質量％以上であるのがさらに好ましい。
これにより、前述した効果がより顕著に発揮される。
【００４２】
金属膜４２は、例えば、貴石４１に対して、湿式めっき法、蒸着法、スパッタリング、イオンプレーティング、ＣＶＣ等の乾式めっき法（気相成膜法）、溶射等の方法を適用することにより形成することができるが、乾式めっき法により設けられたものであるのが好ましく、蒸着法により設けられたものであるのがより好ましい。
【００４３】
これにより、貴石４１と金属膜４２との密着性をより優れたものとすることができる。また、厚さの均一性の高い金属膜４２を比較的安価に形成することができ、時計用略字４、時計用文字板２の審美性のさらなる向上や、時計用略字４、時計用文字板２の生産コストの抑制等の観点からも好ましい。
なお、金属膜４２は、複数の方法、異なる条件での複数の処理を組み合わせて行うことにより形成してもよい。
【００４４】
なお、金属膜４２は、金属材料以外の成分を含んでいてもよい。ただし、金属膜４２中における金属以外の成分の含有率は、２０質量％以下であるのが好ましく、１０質量％以下であるのがより好ましく、５質量％以下であるのがさらに好ましい。
【００４５】
金属膜４２の厚さは、特に限定されないが、０．０１μｍ以上５０μｍ以下であるのが好ましく、０．０５μｍ以上４０μｍ以下であるのがより好ましく、０．２μｍ以上３０μｍ以下であるのがさらに好ましい。
【００４６】
これにより、貴石４１と金属膜４２との密着性をより優れたものとすることができるとともに、時計用略字４、時計用文字板２の審美性をより優れたものとすることができる。
【００４７】
なお、金属膜４２は、各部位で均一な組成を有するものであってもよいし、組成が異なる部位を有するものであってもよい。例えば、金属膜４２は、同一または異なる組成の複数の層を有する積層体であってもよいし、厚さ方向に組成が傾斜的に変化する傾斜材料で構成されたものであってもよい。
【００４８】
また、貴石４１と金属膜４２との間に、任意の目的で、中間層（図示せず）が存在していてもよい。この中間層としては、例えば、貴石４１に対する金属膜４２の密着性を向上するためのもの、光の反射率や色調を調整するためのもの等が挙げられる。さらには、金属膜４２の裏面（図１中下側）にも、任意の下地層（図示せず）があってもよい。
【００４９】
［接着層］
接着層５は、時計用略字４を文字板本体３に接合する機能を有している。
特に、接着層５は、チオール系硬化剤を含む接着剤の硬化物で構成されている。
【００５０】
これにより、文字板本体３と時計用略字４との結合力を高めることができる。また、チオール系硬化剤を含む接着剤を用いることにより、低温速硬化が可能となるため、文字板本体３や時計用略字４への熱ダメージを抑制することができ、時計用文字板２、時計１の信頼性を優れたものとすることができる。
【００５１】
接着層５の形成に用いられる接着剤（硬化性組成物）は、硬化性樹脂とチオール系硬化剤とを含むものである。
【００５２】
硬化性樹脂としては、例えば、エポキシ樹脂、メラミン樹脂、（メタ）アクリレート樹脂、不飽和ポリエステル樹脂、尿素樹脂、フェノール樹脂等が挙げられ、これらから選択される１種または２種以上を組み合わせて用いることができるが、エポキシ樹脂が好ましい。
【００５３】
これにより、文字板本体３と時計用略字４との結合力をより優れたものとすることができる。特に、金属膜４２がＡｕを含む材料で構成されている場合に、このような効果がより顕著に発揮される。
【００５４】
エポキシ樹脂としては、例えば、ビスフェノールＡ、ビスフェノールＦなどのビスフェノール型エポキシ樹脂やノボラック型エポキシ樹脂、ナフタレン型エポキシ樹脂等を用いることができる。
【００５５】
チオール系硬化剤としては、分子内に複数個のメルカプト基を有する化合物である。
チオール系硬化剤としては、例えば、下記式（１）で示される化合物や下記式（２）で示される化合物を用いることができる。
【００５６】
【化１】
2019174305.tif 000003
（式（１）中、ｎは２以上の整数であり、Ｒ１は、ｎ価の原子または原子団であり、Ｒ２は、ポリアルキレンオキサイドであり、Ｒ３は、２価の原子団である。）
【００５７】
【化２】
2019174305.tif 000004
（式（２）中、ｎは２以上の整数であり、Ｒは、ｎ価の原子または原子団である。）
【００５８】
上記式（１）中のＲ２の具体例としては、ポリプロピレンオキサイド基（−（Ｃ３Ｈ６Ｏ）−）等が挙げられる。また上記式（１）中のＲ３の具体例としては、−ＣＨ２ＣＨ（ＯＨ）ＣＨ２−等が挙げられる。
【００５９】
上記式（２）で示される化合物（チオール系硬化剤）の具体例としては、例えば、下記式（３）、下記式（４）、下記式（５）、下記式（６）、下記式（７）で示される化合物が挙げられる。
【００６０】
【化３】
2019174305.tif 000005
【００６１】
【化４】
2019174305.tif 000006
【００６２】
【化５】
2019174305.tif 000007
【００６３】
【化６】
2019174305.tif 000008
【００６４】
【化７】
2019174305.tif 000009
【００６５】
また、チオール系硬化剤としては、例えば、分子内に繰り返し構造を有する高分子材料を用いてもよい。このようなチオール系硬化剤としては、例えば、下記式（８）で示されるものが挙げられる。
【００６６】
【化８】
2019174305.tif 000010
（式（８）中、ｎは２以上の整数である。）
【００６７】
前記接着剤中におけるチオール系硬化剤の含有量は、特に限定されないが、１００質量部の硬化性樹脂に対して、１質量部以上１００質量部以下であるのが好ましく、２質量部以上５０質量部以下であるのがより好ましく、３質量部以上３５質量部以下であるのがさらに好ましい。
【００６８】
前記接着剤は、硬化性樹脂およびチオール系硬化剤以外の成分を含んでいてもよい。このような成分としては、例えば、チオール系硬化剤以外の硬化剤、硬化促進剤、充填剤、応力緩和剤、カップリング剤、イオン捕捉剤、難燃剤、着色剤、および酸化防止剤等が挙げられる。
【００６９】
チオール系硬化剤以外の硬化剤としては、例えば、ジエチレントリアミン（ＤＥＴＡ）、トリエチレンテトラミン（ＴＥＴＡ）、メタキシレリレンジアミン（ＭＸＤＡ）などの脂肪族ポリアミン、ジアミノジフェニルメタン（ＤＤＭ）、ｍ−フェニレンジアミン（ＭＰＤＡ）、ジアミノジフェニルスルホン（ＤＤＳ）等の芳香族ポリアミンやジシアンジアミド（ＤＩＣＹ）、有機酸ジヒドララジド等のポリアミン化合物；ヘキサヒドロ無水フタル酸（ＨＨＰＡ）、メチルテトラヒドロ無水フタル酸（ＭＴＨＰＡ）等の脂環族酸無水物や無水トリメリット酸（ＴＭＡ）、無水ピロメリット酸（ＰＭＤＡ）、ベンゾフェノンテトラカルボン酸（ＢＴＤＡ）等の芳香族酸無水物等を含む酸無水物；ノボラック型フェノール樹脂、ポリビニルフェノール、アラルキル型フェノール樹脂等のフェノール樹脂系硬化剤；イソシアネートプレポリマー、ブロック化イソシアネート等のイソシアネート化合物；カルボン酸含有ポリエステル樹脂等の有機酸類；ベンジルジメチルアミン（ＢＤＭＡ）、２，４，６−トリスジメチルアミノメチルフェノール（ＤＭＰ−３０）等の３級アミン化合物；２−メチルイミダゾール、２−エチル−４−メチルイミダゾール（ＥＭＩ２４）等のイミダゾール化合物；ＢＦ３錯体等のルイス酸等が挙げられる。
【００７０】
硬化促進剤としては、例えば、有機ホスフィン、テトラ置換ホスホニウム化合物、ホスホベタイン化合物、ホスフィン化合物とキノン化合物との付加物、ホスホニウム化合物とシラン化合物との付加物等のリン原子含有化合物；１，８−ジアザビシクロ（５，４，０）ウンデセン−７、ベンジルジメチルアミン、２−メチルイミダゾール等のアミジンや３級アミン、前記アミジンやアミンの４級塩等の窒素原子含有化合物等が挙げられる。
【００７１】
充填剤としては、例えば、シリカ、アルミナ、水酸化アルミニウム、窒化珪素、窒化アルミ等が挙げられる。
【００７２】
応力緩和剤としては、例えば、シリコーン化合物等のシロキサン結合を有する化合物、熱可塑性エラストマー、熱硬化性エラストマー等のエラストマー等が挙げられる。シリコーン化合物としては、例えば、シリコーンオイル、シリコーンゴム等が挙げられる。また、エラストマーとしては、例えば、非変性アクリロニトリル−ブタジエン共重合化合物や、カルボン酸変性アクリロニトリル−ブタジエン共重合化合物（ＣＴＢＮ（Ｃａｒｂｏｘｙｌ−Ｔｅｒｍｉｎａｔｅｄ  Ｂｕｔａｄｉｅｎｅ−Ｎｉｔｒｉｌｅ））等のポリブタジエン化合物等が挙げられる。
【００７３】
カップリング剤としては、例えば、エポキシシラン、メルカプトシラン、アミノシラン、アルキルシラン、ウレイドシラン、ビニルシラン、メタクリルシラン等の各種シラン系化合物、チタン系化合物、アルミニウムキレート類、アルミニウム／ジルコニウム系化合物等が挙げられる。
【００７４】
イオン捕捉剤としては、例えば、ハイドロタルサイト等が挙げられる。
難燃剤としては、例えば、水酸化マグネシウム、ホウ酸亜鉛、モリブデン酸亜鉛、ホスファゼン等が挙げられる。
着色剤としては、例えば、各種染料、各種顔料等が挙げられる。
【００７５】
ただし、前記接着剤がチオール系硬化剤に加えて、チオール系硬化剤以外の硬化剤を含む場合、前記接着剤中における硬化剤全体に対するチオール系硬化剤の含有率は、５０質量％以上であるのが好ましく、６０質量％以上であるのがより好ましく、７０質量％以上であるのがさらに好ましい。
【００７６】
そして、本発明に係る時計１は、上記のような時計用文字板２を備えている。
これにより、審美性に優れるとともに耐久性に優れる時計１を提供することができる。
【００７７】
なお、本発明の時計は、本発明の時計用文字板を備えるものであればよく、それ以外の部品としては、公知のものを用いることができる。例えば、本発明は、腕時計以外の携帯時計（懐中時計等を含む）、置時計、掛け時計等に適用されてもよい。
【００７８】
以上、本発明の好適な実施形態について説明したが、本発明は上記のようなものに限定されるものではない。
例えば、本発明に係る時計用略字、時計用文字板および時計では、各部の構成は、同様の機能を発揮する任意の構成のものに置換することができ、また、任意の構成を付加することもできる。
【００７９】
より具体的には、例えば、本発明に係る時計用略字は、貴石の表面（観察者の視点側の表面等）や貴石と金属膜との間の領域にりん光物質（蓄光材料）が付与されていてもよい。これにより、外光の光量が少ない環境下であっても、時計用文字板の視認性、時刻の視認性を優れたものとすることができる。このような場合、りん光物質は、例えば、貴石の表面に設けられた凹部（例えば、貴石の長手方向に延在する溝部）内に付与されるものであってもよい。
また、本発明に係る時計用文字板は、各種印刷法により形成された印刷部を有するものであってもよい。
【符号の説明】
【００８０】
１…時計、２…時計用文字板、３…文字板本体、３１…軸挿通孔、３５…表面、４…時計用略字（インデックス）、４１…貴石、４１１…表側の面、４１２…裏側の面、４２…金属膜、５…接着層、１０…ムーブメント、１０１…時針、１０２…分針、１０３…秒針、１０４…巻真、１１…胴（ケース）、１２…りゅうず、１３…裏蓋、１５…カバーガラス（風防）、１６…バンド、Ｌ４１…全長、Ｗ…幅、Ｔ…厚さ
【図１】
2019174305.tif 000011
【図２】
2019174305.tif 000012
【図３】
2019174305.tif 000013